(57)【要約】【課題】二個のスカートコネクタを持つ映像処理装置において、ＡＶ２スルーの機能を使用しない状態における、消費電力を低減する。【解決手段】第一及び第二のコネクタを持ち、第一のコネクタの映像音声出力を、記録再生部からの映像音声信号と、第二のコネクタからの入力信号とを切り替える映像音声出力切換回路を持つ映像処理装置において、第二のコネクタからの映像音声信号の入力を映像信号検出部によって検出し、映像信号検出部の検出結果によって、出力切換手段の電源をオンオフ制御することで、映像処理装置がＡＶ２スルーを使用しない状態においての本体の電源制御を行うことができ、本体の消費電力を削減することができる。【選択図】図１
2007281842.tif 000002
【特許請求の範囲】
【請求項１】
装置内の各手段に電源を供給する電源供給手段と、ピン端子を使用するコネクタ手段と、前記コネクタ手段から入力される映像信号の有無を検出する検出手段と、前記コネクタ手段からの入力信号を記録または再生する記録再生手段と、前記検出手段で映像信号を検出した場合には、前記電源供給手段が前記記録再生手段へ電源を供給するように制御する制御手段とを備えることを特徴とする映像処理装置。
【請求項２】
前記検出手段の出力によって、前記記録再生手段の出力信号、または前記コネクタ手段から入力される信号を出力する出力切換手段をさらに備え、前記制御手段は、装置の電源オフ時に、前記出力切換手段が前記コネクタ手段から入力される信号を出力するように制御することを特徴とする、請求項１に記載の映像処理装置。
【請求項３】
前記検出手段の前段に低域通過フィルタをさらに備え、前記検出手段は弱電界映像信号やスクランブル映像信号の非標準信号レベルの信号も検出可能な検出感度を持つことを特徴とする、請求項１または請求項２に記載の映像処理装置。
【発明の詳細な説明】
【技術分野】
【０００１】
本発明は、映像機器の電源制御装置に関するもので、ＤＶＤビデオレコーダやＶＣＲ（ビデオカセットレコーダ）などの機器の消費電力を省電力化することができる映像処理装置に関するものである。
【背景技術】
【０００２】
欧州を中心として映像音声機器の接続のために広く使用されているＡＶ２１ピンのピン仕様を図３に示す。ＣＥＮＥＬＥＣ規格（ＥＮ  ５０  ０４９−１：１９８９）におけるＡＶ２１ピンコネクタ（以下スカートコネクタとする）による映像音声機器の接続は、一本のケーブルで映像、音声及び制御信号用信号の入出力が可能である接続形式であり、ＴＶやＤＶＤレコーダ等の映像音声機器、セットトップボックス等の映像音声出力機器間の信号伝送用接続方法として広く普及している。
【０００３】
ＡＶ２１ピンのコネクタ仕様を図３に示す。図中の数字は各端子ナンバーを示している。主な各端子を説明すると、第１端子はオーディオ出力（Ｒｃｈ）端子、第２端子はオーディオ入力（Ｒｃｈ）端子、第３端子はオーディオ出力（Ｌｃｈ）端子、第４端子はオーディオ入力（Ｌｃｈ）端子、第８端子はコントロール端子（Ｓｌｏｗ端子）、第１９端子はビデオ出力端子、第２０端子はビデオ入力端子である。ＡＶ２１ピン構成ピンの内、制御信号伝送用端子である第８番端子は映像音声信号の再生出力を接続相手に通知するための端子として用いられ、例えば映像音声機器とＴＶとをスカートコネクタにて接続している場合に、映像音声機器は出力中の映像音声が再生出力の場合にのみ、第８番端子をハイレベルまたはミドルレベル（再生画のアスペクト比が１６：９の場合）を出力し、ＴＶ側に映像音声出力が再生出力であるということを検出させる方法等に使用される。それにより、ＴＶ側は自動的に入力を接続されている映像音声機器の出力に切り替えることができる。このようなスカートコネクタを二つ持つ映像音声機器の機能にＡＶ２スルー（カスケードスルー動作）がある。ＡＶ２スルーについて、構成図４を基に説明する。
【０００４】
ＡＶ２スルーとは、映像音声記録機器３が電源オフモード時に第二の映像音声機器１３からの映像音声入力を第一の映像音声機器１２に出力することを目的とした機能であり、第一のコネクタ１と第二のコネクタ２の二個のスカートコネクタを持つ映像音声記録機器３を、一方のスカートコネクタ、第一のコネクタ１は第一の映像音声機器１２（ＴＶ等）に、他方のスカートコネクタ、第二のコネクタ２を第二の映像音声機器１３（セットトップボックス等）に接続している状態で、映像音声記録機器３の映像音声出力切換回路部４を第二のコネクタ２入力側ａに切換えることで実現する。よって、映像音声記録機器３が電源オフモード時に第二の映像音声機器１３の出力、つまり第二のコネクタ２（ＡＶ２入力）からの映像音声入力を第一の映像音声機器１２、第一のコネクタ１（ＡＶ１出力）へ出力することから、ＡＶ２スルーと呼ばれる
上記ＡＶ２スルーの機能を有する映像記録装置において、ＡＶ２スルーの機能を使用しない状態、すなわち第一のコネクタ１と第二のコネクタ２の二個のスカートコネクタを持つ映像音声記録機器３の電源オフ状態において、第一のコネクタ１は第一の映像音声機器１２に接続するが、第二のコネクタ２は他の映像音声機器と接続しない状態や、第一のコネクタ、第二のコネクタ共に他の映像音声機器と接続しない場合で、ＡＶ２スルーの回路を使用する必要がない使用状態において、映像記録機器の消費電力削減を行う装置について、構成図５を基に説明する（特許文献１参照。）。
【０００５】
は映像機器において電源オフ時の消費電力を低減するために、スカートコネクタ第８番端子の直流制御電圧を利用し、本体の電源を制御できるようにした映像機器の電源制御装置である。映像音声記録機器３が電源オフ時において、第二のコネクタ２から入力される映像音声信号の入力の有無を、スカートコネクタ第８番端子の直流印加電圧により検出する。第二のコネクタ２の第８番端子入力を制御マイコンにより検出し、第８番端子からの直流電圧印加の有無により、制御マイコン７は映像音声出力切換回路部４に対して電源を供給しているオンオフ制御が可能な電源装置８（以下制御可能な電源装置とする）の電源をオンオフ制御する。このような構成を用いることで、第二のコネクタ２から第８番端子の直流印加電圧の入力を伴った映像音声の入力がない場合は、映像音声出力切換回路部４の電源が制御可能な電源装置８から供給されないので、映像音声記録機器３の消費電力を低減することができる。
【特許文献１】特開平７−２２６８９１号公報
【発明の開示】
【発明が解決しようとする課題】
【０００６】
二個のスカートコネクタを持つ映像処理装置において、ＡＶ２スルーの機能を使用しない状態における、消費電力を低減することを目的としている。
【０００７】
従来の技術のような構成では、第二のコネクタの映像音声の入力を第８番端子により検出しているため、第８番端子の制御用直流電圧を出力しないような映像音声出力機器からの映像音声の入力を検出することが出来ず、映像記録機器の本体電源が制御されない場合がある。そのため、本発明においてはスカートコネクタの第８番端子に制御用直流電圧が入力されなくても映像音声の入力を検出し、映像記録機器の本体電源の制御を行うことができる映像処理装置を提供することを目的としている。
【課題を解決するための手段】
【０００８】
上記課題を解決する手段として、本発明の映像処理装置は、装置内の各手段に電源を供給する電源供給手段と、ピン端子を使用するコネクタ手段と、コネクタ手段から入力される映像信号の有無を検出する検出手段と、コネクタ手段からの入力信号を記録または再生する記録再生手段と、検出手段で映像信号を検出しない場合には、電源供給手段が記録再生手段へ電源を供給しないように制御する制御手段とを備える。
【０００９】
また、検出手段の出力によって、記録再生手段の出力信号、またはコネクタ手段から入力される信号を出力する出力切換手段をさらに備え、制御手段は、装置の電源オフ時に、出力切換手段がコネクタ手段から入力される信号を出力するように制御する。
【００１０】
さらに、検出手段の前段に低域通過フィルタをさらに備え、検出手段は弱電界映像信号やスクランブル映像信号の非標準信号レベルの信号も検出可能な検出感度を持たせる。
【発明の効果】
【００１１】
本発明のような構成の映像処理装置を用いることにより、映像信号が入力されない場合には、記録再生手段に電源が供給されず、装置の消費電力を低減することができる。
【００１２】
また、検出手段の出力によって、記録再生手段の出力信号、またはコネクタ手段から入力される信号を出力する出力切換手段をさらに備え、制御手段は、装置の電源オフ時に、出力切換手段がコネクタ手段から入力される信号を出力するように制御することにより、コネクタ手段から入力された映像信号が、記録再生手段を通過せず出力される手段を持つ映像処理装置においても、映像信号入力がない場合は出力切換手段に電源が供給されず、装置の消費電力を低減することができる。
【００１３】
さらに、検出手段の前段に低域通過フィルタをさらに備え、検出手段は弱電界映像信号やスクランブル映像信号の非標準信号レベルの信号も検出可能な検出感度を持たせることで、標準、非標準にかかわらず映像入力を検出することができ、映像入力がある場合には装置の電源が駆動し、映像入力がない場合には装置の消費電力を低減できる。
【発明を実施するための最良の形態】
【００１４】
以下に本発明を実施するための最良の形式について、図１、図２を参照しながら説明する。
【００１５】
（実施の形態１）
図１は、本発明の実施の形態である映像処理装置の構成図である。図２は、本発明の実施の形態である映像処理装置の動作フローである。図中、１は主にＴＶに接続される第一のコネクタ、２はセットトップボックスなどの外部機器に接続される第二のコネクタである。３は映像音声記録装置本体であり、映像音声信号出力切換回路部４、映像音声入力回路部５、映像信号検出部６、制御マイコン７、制御可能な電源装置８から構成されている。以下、動作を説明する。第二のコネクタ２から入力される映像音声信号は、映像音声入力回路部５を通って映像音声記録再生部９と、映像音声出力切換回路部４の端子ａに出力される。さらに第二のコネクタ２から入力される映像信号は映像信号検出部６にも入力される。映像信号検出部６は第二のコネクタ２から入力される映像信号の有無を検出し、その検出情報を制御マイコン７に通知する。映像信号検出部６は、例えばコンポジット映像信号の水平同期信号や垂直同期信号の検出回路を使用してもよい。
【００１６】
前記映像信号検出部６は通常の映像信号レベルが検出可能な第一の検出感度と、弱電界映像信号やスクランブル映像信号の非標準信号レベルのいかなる映像信号も検出可能な第二の検出感度を持ち、第一の検出感度における映像信号検出と、第二の検出感度における映像信号検出とを並列して行い、いずれかの検出感度において映像信号が検出されれば、制御マイコンに対し、映像信号有りと通知する構成を用いてもよいし、第一の検出感度において映像信号が検出されなければ、第二の検出感度での映像信号検出を行い、その検出情報を制御マイコンに通知する構成を用いてもよい。
【００１７】
また前記第二の検出感度を持つ映像信号検出部は、例えばコンポジット映像信号の水平同期信号検出や垂直同期検出回路の検出回路前段に低域通過フィルタを追加し、映像信号検出部に入力される非標準映像信号におけるノイズ成分をあらかじめ除去することで、検出感度を高めた映像信号検出回路を用いてもよいし、ある閾値を持った比較器またはアナログ・デジタル変換器を用いて直流電位変動の有無を検出する回路を用いてもよい。
【００１８】
制御マイコン７は、映像信号検出部６から映像信号有り検出の通知を受けると、第一のコネクタ１へ映像音声の出力を行うため、制御可能な電源装置８の電源をオンに制御し、映像音声出力切換回路部４に電源を供給する。
【００１９】
映像音声出力切換回路部４は、第二のコネクタ２から映像音声が入力され、ＡＶ２スルーの動作をする状態においては、制御マイコン７によって切換回路をａ側に切換えられ、かつ制御可能な電源装置８から電源が供給されるので、第一のコネクタ１に対し第二のコネクタ２から入力された映像音声の信号を伝送する。第二のコネクタ２から映像音声の入力がない場合は、制御可能な電源装置８から電源が供給されず、消費電力が低減された状態となる。
【００２０】
前記映像記録機器３の制御可能な電源装置８により、第二のコネクタ２から映像が入力された場合は、第二のコネクタ２に入力された映像音声信号が、第一のコネクタ１に伝送されるＡＶ２スルーの機能として動作し、第二のコネクタ２から映像信号が入力されない場合（すなわちＡＶ２スルーの機能を利用しない場合）は映像音声出力切換回路部４の電源がオンしないので、映像記録機器３の本体電源の消費電力削減となる。
【産業上の利用可能性】
【００２１】
本発明に係わる映像処理装置は、ＤＶＤビデオレコーダやＶＣＲ（ビデオカセットレコーダ）などの機器の消費電力を省電力化することができる用途に適用できる。
【図面の簡単な説明】
【００２２】
【図１】本発明の実施の形態である映像処理装置の構成図
【図２】本発明の実施の形態である映像処理装置の動作フローチャート
【図３】ＣＥＮＥＬＥＣ規格におけるＡＶ２１ピンコネクタの端子構成図
【図４】従来技術であるＡＶ２スルーの説明図
【図５】従来の映像処理装置の構成図
【符号の説明】
【００２３】
１    第一のコネクタ
２    第二のコネクタ
３    映像音声記録機器
４    映像音声出力切換回路部
５    映像音声入力回路部
６    映像信号検出部
７    制御マイコン
８    制御可能な電源装置
９    映像音声記録再生部
１０    映像信号検出部第一の検出感度
１１    映像信号検出部第二の検出感度
【図１】
2007281842.tif 000003
【図２】
2007281842.tif 000004
【図３】
2007281842.tif 000005
【図４】
2007281842.tif 000006
【図５】
2007281842.tif 000007